(57)【要約】【課題】単管支柱間に汎用性のある足場板、特に端部に一対のフックが取り付けてあるハーフサイズ（２４０ｍｍ幅）の足場板を架け渡すことができる単管足場支柱用のフック付き足場板受け金具を提供する。【解決手段】単管足場支柱１に側方より嵌合され、単管足場支柱１に固着されている楔孔３付き多角形状フランジ２上に支持されると共に、フランジ２の１つの角部２ａが係合されるようになっている箱枠４の左右両端部に、足場板１６の各端部に設けてある一対のフック５，５が係止されるフック係止軸部６，６を同軸上に突設してなる受け金具本体７と、受け金具本体７の箱枠４に設けた楔孔８とフランジ２の楔孔３とにわたって挿入することにより、受け金具本体７を単管足場支柱１に緊結固定する楔９と、からなる。【選択図】図４
2010281075.tif 000002
【特許請求の範囲】
【請求項１】
単管足場支柱に側方より嵌合されて、この支柱に固着されている楔孔付きフランジ上に支持される箱枠の左右両端部に、足場板の各端部に設けてある一対のフックが係止されるフック係止軸部を同軸上に突設してなる受け金具本体と、この受け金具本体の箱枠に設けた楔孔とフランジの楔孔とにわたって挿入することにより、受け金具本体を単管足場支柱に緊結固定する楔と、からなる単管足場支柱用の足場板受け金具。
【請求項２】
前記受け金具本体の箱枠は左右側壁部と前壁部と上下壁部とによって背面側が開口するように形成されていて、上壁部及び下壁部には単管足場支柱に嵌合する嵌合凹部が夫々前端部より切欠形成されると共に、上壁部及び下壁部の上下に対向する位置に楔孔が形成され、また上壁部には前記嵌合凹部を挟んで両側所定位置から下向きに突出して、前記フランジの上面に当接支持される支持部片が突設され、前壁部には前記支柱に固着された多角形状フランジの１つの角部が突入係合するする窓部が形成されている請求項１に記載の単管足場支柱用の足場板受け金具。
【請求項３】
前記各フック係止軸部の外端部には、フック係止軸部に係止された足場板のフックの落下を防止する落下防止板が取り付けられている請求項１又は２に記載の単管足場支柱用の足場板受け金具。
【請求項４】
左右側壁部と両側壁部をつなぐ連結壁部とにより形成され、単管足場支柱に側方より嵌合されるようになっているコ字枠部の左右両側壁部に、足場板の各端部に設けてある一対のフックが係止されるフック係止軸部を同軸上に突設してなる受け金具本体と、この受け金具本体の上部側で単管足場支柱を掴持するようになっていて、受け金具本体のコ字枠部に連結されたパイプクランプとからなる単管足場支柱用の足場板受け金具。
【請求項５】
前記各フック係止軸部の外端部には、フック係止軸部に係止された足場板のフックの落下を防止する落下防止板が取り付けられている請求項４に記載の単管足場支柱用の足場板受け金具。
【請求項６】
請求項１〜３の何れかに記載の楔緊結式足場板受け金具の受け金具本体を単管足場支柱の所定のフランジ上に支持させて楔により緊結固定し、この足場板受け金具の上側に請求項４又は５に記載のクランプ式足場板受け金具を、受け金具本体のフック係止軸部が楔緊結式足場板受け金具の受け金具本体のフック係止軸部に対し直交するように隣接配置し、そのコ字枠部を単管足場支柱に嵌合させてパイプクランプにより固定するようにした単管足場支柱用の足場板受け装置。
【請求項７】
前記クランプ式足場板受け金具の受け金具本体のコ字枠部には連結壁部の下端部に、位置決め用の係合部片を下向きに突設し、この係合部片を、楔緊結式足場板受け金具の受け金具本体の箱枠に設けた係合孔部に係合させるようにした請求項６に記載の単管足場支柱用の足場板受け装置。
【発明の詳細な説明】
【技術分野】
【０００１】
本発明は、隣り合う建築物の間が狭い敷地や建築物と敷地境界線との間が狭い敷地など、いわゆる狭小地に用いられる単管足場に関するもので、特に、楔孔付きフランジが固着された単管支柱間にフック付き足場板を架け渡すの使用される足場板受け金具及び足場板受け装置に関する。
【背景技術】
【０００２】
従来、狭小地に用いられる単管足場では、楔孔付きフランジが固着された単管支柱間に板幅１５０ｍｍ程度の幅狭の踏板を架け渡している。この踏板には両端部にコの字形の取付枠片が固着されていて、単管支柱間に踏板を架け渡すにあたり、踏板の各端部のコの字形取付枠片を、支柱に固着されているフランジに跨嵌させて、コの字形取付枠片に設けてある楔孔とフランジの楔孔とにわたって楔を挿入することにより、踏板の端部を単管支柱に取り付けるようにしている。要するに、従来の狭小地に使用される単管足場では、単管支柱間に専用の幅狭踏板を架け渡すようになっている。
【発明の概要】
【発明が解決しようとする課題】
【０００３】
上記のような従来の踏板は、板幅が１５０ｍｍ程度と狭いため、作業上の安全性の点で問題があり、また狭小地での単管足場の使用に限られるため、汎用性に欠け、製作コストも高くつくといった問題がある。
【０００４】
本発明は、上記の事情に鑑み、単管支柱間に汎用性のある足場板、特に端部に一対のフックが取り付けてあるハーフサイズ（２４０ｍｍ幅）の足場板を架け渡すことができるような単管足場支柱用のフック付き足場板受け金具を提供することを目的としている。
【課題を解決するための手段】
【０００５】
上記課題を解決するための手段を、後述する実施形態の参照符号を付して説明すると、請求項１に係る発明の単管足場支柱用の足場板受け金具は、単管足場支柱１に側方より嵌合されて、この支柱１に固着されている楔孔３付きフランジ２上に支持される箱枠４の左右両端部に、足場板１６の各端部に設けてある一対のフック５，５が係止されるフック係止軸部６，６を同軸上に突設してなる受け金具本体７と、この受け金具本体７の箱枠４に設けた楔孔８とフランジ２の楔孔３とにわたって挿入することにより、受け金具本体７を単管足場支柱１に緊結固定する楔９と、からなることを特徴とする。
【０００６】
請求項２は、請求項１に記載の単管足場支柱用の足場板受け金具において、前記受け金具本体７の箱枠４は左右側壁部１０，１０と前壁部１１と上下壁部１２，１３とによって背面側が開口するように形成されていて、上壁部１２及び下壁部１３には単管足場支柱１に嵌合する嵌合凹部１２ａ，１３ａが夫々前端部より切欠形成されると共に、上壁部１２及び下壁部１３の上下に対向する位置に楔孔８，８が形成され、また上壁部１２には前記嵌合凹部１２ａ，１３ａを挟んで両側所定位置から下向きに突出して、前記フランジ２の上面に当接支持される支持部片１４，１４が突設され、前壁部１１には前記支柱１に固着された多角形状フランジ２の１つの角部２ａが突入係合するする窓部１５が形成されていることを特徴とする。
【０００７】
請求項３は、請求項１又は２に記載の単管足場支柱用の足場板受け金具において、前記各フック係止軸部６の外端部には、フック係止軸部６に係止された足場板１６のフック５の落下を防止する落下防止板１７が取り付けられていることを特徴とする。
【０００８】
請求項４に係る発明の単管足場支柱用の足場板受け金具は、左右側壁部２０，２０と両側壁部２１をつなぐ連結壁部２４とにより形成され、単管足場支柱１に側方より嵌合されるようになっているコ字枠部２２の左右両側壁部２０，２０に、足場板１６の各端部に設けてある一対のフック５，５が係止されるフック係止軸部２３，２３を同軸上に突設してなる受け金具本体１８と、単管足場支柱１を掴持するようになっていて、受け金具本体１８のコ字枠部２２に一体的に取り付けられたパイプクランプ１９と、からなることを特徴とする。
【０００９】
請求項５は、請求項４に記載の単管足場支柱用の足場板受け金具において、前記各フック係止軸部２３の外端部には、フック係止軸部２３に係止された足場板１６のフック５の落下を防止する落下防止板２５が取り付けられていることを特徴とする。
【００１０】
請求項６に係る発明の単管足場支柱用の足場板受け装置は、請求項１〜３の何れかに記載の楔緊結式足場板受け金具Ａの受け金具本体７を単管足場支柱１の所定のフランジ２上に支持させて楔９により緊結固定し、この足場板受け金具Ａの上側に請求項４又は５に記載のクランプ式足場板受け金具Ｂを、受け金具本体１８のフック係止軸部２３が楔緊結式足場板受け金具Ａの受け金具本体７のフック係止軸部６に対し直交するように隣接配置し、そのコ字枠部２２を単管足場支柱１に嵌合させてパイプクランプ１９により固定するようにしたことを特徴とする。
【００１１】
請求項７は、請求項６に記載の単管足場支柱用の足場板受け装置において、前記クランプ式足場板受け金具Ｂの受け金具本体１８のコ字枠部２２には連結壁部２１の下端部に、位置決め用の係合部片２６を下向きに突設し、この係合部片２６を、楔緊結式足場板受け金具Ａの受け金具本体７の箱枠４に設けた係合孔部２７に係合させるようにしたことを特徴とする。
【発明の効果】
【００１２】
上記解決手段による発明の効果を、後述する実施形態の参照符号を付して説明すると、請求項１に係る発明の足場板受け金具によれば、受け金具本体７に左右両フック係止軸部６，６を設けているから、この受け金具本体７を単管足場支柱１に固定することにより、端部に一対のフックを装備して広く一般に使用されているハーフサイズ（２４０ｍｍ幅）の足場板を架け渡すことができ、それにより作業の安全性を確保できると共に、汎用の足場板を使用できるため設備費用を安くできる。また、受け金具本体７を単管足場支柱１に取り付けるには、箱枠４を単管足場支柱１に嵌合させると共に、箱枠４を支柱１のフランジ２上に支持させた状態で、楔９を箱枠４の楔孔８とフランジ２の楔孔３とにわたって挿入するだけでよいから、取付作業も容易となる。
【００１３】
請求項２に係る発明によれば、受け金具本体７、特に箱枠４の構造がコンパクトで軽量なものとなり、製作が容易で、単管足場支柱１への取付けも簡単容易となる。また、箱枠４の前壁部１１には多角形状フランジ２の１つの角部２ａが突入係合するする窓部１５が形成され、上壁部１２には前記フランジ２の上面に当接支持される支持部片１４，１４が突設されているから、受け金具本体７を単管足場支柱１に固定する際に、箱枠４の角窓部１５にフランジ２の１つの角部２ａを突入係合させると共に、箱枠４側の支持部片１４，１４をフランジ２の上面に支持させることにより、箱枠４がフランジ２に対しガタを生ずるようなことがなく、受け金具本体７を安定良く、強固に固定させることができる。
【００１４】
請求項３に係る発明によれば、フック係止軸部６の外端部に落下防止板１７を取り付けているから、足場板１６のフック５をフック係止軸部６に係止した時、足場板１６の横ズレなどによりフック５がフック係止軸部６から落下することがない。
【００１５】
請求項４に係る発明の足場板受け金具によれば、受け金具本体１８に左右フック係止軸部２３，２３を設けているから、受け金具本体１８を単管足場支柱１に固定することにより、端部に一対のフックを装備して広く一般に使用されているハーフサイズ（２４０ｍｍ幅）の足場板を架け渡すことができ、それにより作業の安全性を確保できると共に、汎用の足場板を使用できるため設備費用を安くできる。また、受け金具本体１８を単管足場支柱１に取り付けるには、コ字枠部２２を支柱１に嵌合させてパイプクランプ１９で固定すればよいから、取付作業も簡単容易となる。
【００１６】
請求項５に係る発明によれば、フック係止軸部２３の外端部に落下防止板２５を取り付けているから、足場板１６のフック５をフック係止軸部２３に係止した時、足場板１６の横ズレなどによりフック５がフック係止軸部２３から落下することがない。
【００１７】
請求項６に係る発明の足場板受け装置によれば、楔緊結式足場板受け金具Ａの受け金具本体７を単管足場支柱１の所定のフランジ２上に支持させて楔９により緊結固定し、この足場板受け金具Ａの上側にクランプ式足場板受け金具Ｂを、受け金具本体１８のフック係止軸部２３が楔緊結式足場板受け金具Ａの受け金具本体７のフック係止軸部６に対し直交するように隣接配置し、そのコ字枠部２２を単管足場支柱１に嵌合させてパイプクランプ１９で固定することにより、単管足場のコーナー部において一方の足場板１６の端部と、その足場板１６と直交する他方の足場板１６の端部とが上下に重なり合う状態でそれらの端部を夫々受けることができる。
【００１８】
請求項７に係る発明のように、クランプ式足場板受け金具Ｂの受け金具本体１８のコ字枠部２２の連結壁部２１の下端部に突設した位置決め用の係合部片２６を楔緊結式足場板受け金具Ａの受け金具本体７の箱枠４に設けた係合孔部２７に係合させることによって、クランプ式足場板受け金具Ｂの受け金具本体１８を、楔緊結式足場板受け金具Ａの受け金具本体７に対してフック係止軸部６，２３どうしが直交するように迅速容易に取り付けることができる。
【図面の簡単な説明】
【００１９】
【図１】本発明に係る楔緊結式足場板受け金具の取付状態を受け金具本体の正面側から見た斜視図である。
【図２】同上の足場板受け金具の取付状態を受け金具本体の背面側から見た斜視図である。
【図３】(a) は同上の足場板受け金具の正面図、(b) はその平面図、(c) はその背面図である。
【図４】(a) は同上の足場板受け金具にハーフサイズの足場板のフックを係止した状態を示す平面図、(b) は足場板受け金具の取付状態を示す一部断面正面図である。
【図５】(a) は本発明に係るクランプ式足場板受け金具を受け金具本体の正面側から見た斜視図、(b) は同足場板受け金具を受け金具本体の背面寄りの側から見た斜視図である。
【図６】図１〜図４に示す楔緊結式足場板受け金具と、図５に示すクランプ式足場板受け金具との組合せからなる足場板受け装置を示す斜視図である。
【図７】(a) は図５に示す足場板受け金具の正面図、(b) は平面図、(c) は背面図、(d) は右側面図である。
【図８】(a) は単管足場のコーナー部における足場板受け装置の取付状態を示す平面図、(b) は側面図である。
【発明を実施するための形態】
【００２０】
以下に本発明の好適な実施形態を図面に基づいて説明すると、図１〜図４には本発明に係る楔緊結式の足場板受け金具Ａを示し、この楔緊結式足場板受け金具Ａは、単管足場支柱１に側方より嵌合されて、この支柱１に固着されている楔孔３付き多角形状フランジ２上に支持されると共に、フランジ２の１つの角部２ａが係合されるようになっている箱枠４の左右両端部に、フック付き足場板１６の各端部に設けてある一対のフック５，５が係止されるフック係止軸部６，６を同軸上に突設してなる受け金具本体７と、この受け金具本体７の箱枠４に設けた楔孔８とフランジ２の楔孔３とにわたって挿入することにより、受け金具本体７を単管足場支柱１に緊結固定するようになっている楔９と、から構成される。尚、受け金具本体７のフック係止軸部６，６に係止される足場板１６は、ハーフサイズ（２４０ｍｍ幅）のフック付き足場板である。
【００２１】
上記足場板受け金具Ａの構造について更に詳しく説明すれば、受け金具本体７の箱枠４は、左右側壁部１０，１０と前壁部１１と上下壁部１２，１３とによって背面側が開口するように形成されている。この箱枠４の上壁部１２及び下壁部１３には単管足場支柱１の側面部に嵌合する嵌合凹部１２ａ，１３ａが夫々前端部より平面視Ｕ字状に切欠形成されており、また上壁部１２及び下壁部１３にはフランジ２の楔孔３に対応する楔孔８，８が上下に対向する位置に形成され、そしてまた上壁部１２には前記嵌合凹部１２ａを挟んで両側所定位置から下向きに突出して、前記フランジ２の上面に当接支持される支持部片１４，１４が突設されている。また、前壁部１１には単管足場支柱１に固着された多角形状フランジの１つの角部２ａが突入係合するする角窓部１５が形成されている。
【００２２】
受け金具本体７の各フック係止軸部６にはその外端部に、軸部材６に係止された足場板１６のフック５の落下を防止する卵形の落下防止板１７が取り付けられている。
【００２３】
上記受け金具本体７の製作にあたっては、厚板の帯状鋼板をプレス加工することにより左右側壁部１０，１０と前壁部１１とをコ字状に形成し、このコ字状体に、夫々鋼板からなり且つ夫々前端部よりＵ字状の嵌合凹部１２ａ，１３ａを切欠形成した上壁部１２と下壁部１３とを溶接することによって箱枠４を形成し、この箱枠４の上壁部１２には嵌合凹部１２ａを挟んで両側所定位置に孔を明けて、夫々の孔から鋼製丸棒からなる支持部片１４，１４を突入して夫々の上端部を上壁部１２に溶接し、また箱枠４の左右両端部である左右側壁部１０，１０に、夫々丸鋼管からなるフック係止軸部６，６を溶接して同軸上に突設し、更に各フック係止軸部６の外端部には鋼板からなる例えば卵形の落下防止板１７を溶接して固着することによって、受け金具本体７を製作することができる。
【００２４】
上記のように構成される足場板受け金具Ａの受け金具本体７を単管足場支柱１に取り付けるには、図１〜図３から分かるように、受け金具本体７の背面側に形成された、箱枠４の上下壁部１２，１３の嵌合凹部１２ａ，１３ａを、足場板１６が架け渡される単管足場支柱１の所定部位に嵌合させながら、この支柱１に固着されている多角形状フランジ２を箱枠４の上下壁部１２，１３間に挿入して、多角形状フランジ２の１つの角部２ａを、箱枠４の前壁部１１にある角窓部１５に内側から突入係合させると共に、箱枠４の上壁部１２から下向きに突出する支持部片１４，１４をフランジ２の上面に支持させた状態とし、この状態で楔９を図１に示すように箱枠４の上壁部１２側の楔孔８からフランジ２の楔孔３を介して下壁部１３側の楔孔８に挿入し、ハンマーで叩き込むことによって、受け金具本体７の箱枠４をフランジ２を介して単管足場支柱１に堅固に固定することができる。この場合、箱枠４の角窓部１５にフランジ２の１つの角部２ａを突入係合させると共に、箱枠４側の支持部片１４，１４をフランジ２の上面に支持させているから、箱枠４がフランジ２に対しガタを生ずるようなことがなく、受け金具本体７を安定良く、強固に固定させることができる。
【００２５】
こうして隣り合う単管足場支柱１，１の対向部位に取り付けた受け金具本体７，７のフック係止軸部６，６に対し、足場板１６の各端部に突設されている一対のフック５，５を係止することによって、足場板１６の取付けを完了する。この取付状態を図４の(a) に示す。この場合、フック係止軸部６の外端部には落下防止板１７が取り付けてあるために、足場板１６の各端部のフック５を受け金具本体７のフック係止軸部６に係止した時、足場板１６の横ズレなどによってフック５がフック係止軸部６から落下することがない。
【００２６】
尚、楔９の先端部（下端部）には隆起部９ａが形成されており、楔９を上方に引き上げている時には、隆起部９ａが肉厚であるから、箱枠４の上壁部１２側の楔孔８から抜け出ないようにし、これによって楔９の紛失を防ぐことができる。この場合、下壁部１３側の楔孔８は若干幅広に形成され、隆起部９ａに支障を受けることなく、下壁部１３側の楔孔８を通過して下方まで打ち込むことができるようになっている。
【００２７】
図１〜図４により説明した足場板受け金具Ａは、受け金具本体７を楔９によって単管足場支柱１に緊結固定するようにした楔緊結式足場板受け金具であるが、図５〜図８には、受け金具本体１８に取り付けたパイプクランプで単管足場支柱１を掴持することによって受け金具本体１８を単管足場支柱１に固定するようにしたクランプ式の足場板受け金具Ｂを示す。
【００２８】
図５の(a) は足場板受け金具Ｂを受け金具本体１８の正面側から見た斜視図、(b) は同足場板受け金具Ｂを背面寄りの側から見た斜視図であり、図６は図１〜図４に示す楔緊結式足場板受け金具Ａと、図５に示すクランプ式足場板受け金具とを組み合わせてなる足場板受け装置を示す斜視図であり、また図７の(a) はクランプ式足場板受け金具Ｂの正面図、(b) はその平面図、(c) は背面図、(d) は右側面図である。
【００２９】
クランプ式足場板受け金具Ｂは、左右側壁部２０，２０と両側壁部２０，２０をつなぐ連結壁部２１とによってコ字状に形成され、単管足場支柱１に側方より嵌合されるようになっているコ字枠部２２の左右両側壁部２０，２０に、足場板１６の各端部に設けてある一対のフック５，５が係止されるフック係止軸部２３，２３を同軸上に突設してなる受け金具本体１８と、この受け金具本体１８のコ字枠部２２の上部側で単管足場支柱１を掴持するようになっていて、前記コ字枠部２２の連結壁部２１に固着された取付部材２４を介してコ字枠部２２に連結されたコ字型パイプクランプ１９と、からなるもので、受け金具本体１８の各フック係止軸部２３にはその外端部に、フック係止軸部２３に係止された足場板１６のフック５の落下を防止する卵形の落下防止板２５が取り付けられている。
【００３０】
受け金具本体１８のコ字枠部２２には連結壁部２１の下端部に、位置決め用の係合部片２６が下向きに一体突設されており、この係合部片２６は、図１〜図４に示す楔緊結式足場板受け金具Ａの箱枠４の上壁部１２に設けられた係合孔部２７に係合されるようになっている。
【００３１】
コ字型パイプクランプ１９は、図５の(a) ，(b) 及び図６から分かるように、クランプ本体２８と、このクランプ本体２８の一端部にピン３１で枢着されていて、遊端部側にボルト差込溝２９ａを有するアーム２９と、クランプ本体２８の他端部にピン３２で枢着された締付ボルト３０とからなる周知構造のクランプで、クランプ本体２８は受け金具本体１８のコ字枠部２２に取り付けられた取付部材２４を介してコ字枠部２２に一体的に連結されている。
【００３２】
上記のように構成される足場板受け金具Ｂの受け金具本体１８を単管足場支柱１に取り付けるには、受け金具本体１８のコ字枠部２２を単管足場支柱１に側方より嵌合し、このコ字枠部２２の上部側にあるコ字型パイプクランプ１９で支柱１を掴持することにより、受け金具本体１８を支柱１の任意位置に簡単容易に固定することができる。パイプクランプ１９で支柱１を掴持するには、図５の(b) に示すような状態からクランプ本体２８とアーム２９とによって単管足場支柱１を抱持し、アーム２９の差込溝２９ａに差し込んだ締付ボルト３０にナット３３を螺合し、締め付ければよい。この足場板受け金具Ｂは、上述した図１〜図４に示される足場板受け金具Ａと同様に、単独で使用することができるもので、対向する単管足場支柱１，１間で足場板１６の両端部を受けることができる。
【００３３】
また、この足場板受け金具Ｂは、図６に示すように、足場板受け装置として足場板受け金具Ａと共に使用することにより、単管足場のコーナー部において、一方の足場板１６の端部と、その足場板１６と直交する他方の足場板１６の端部とが上下に重なり合う状態でそれらの端部を夫々受けることができる。この足場板受け装置として使用する時は、楔緊結式足場板受け金具Ａの受け金具本体７を単管足場支柱１の所定のフランジ２上に支持させて楔９により緊結固定した後、この足場板受け金具Ａの上側にクランプ式足場板受け金具Ｂを、受け金具本体１８のフック係止軸部２３が楔緊結式足場板受け金具Ａの受け金具本体７のフック係止軸部６に対し直交するように隣接配置し、そのコ字枠部２２を単管足場支柱１に嵌合させてパイプクランプ１９により固定するようになっている。
【００３４】
図６に示すように足場板受け金具Ｂを足場板受け金具Ａの上部側に隣接して取り付ける時は、足場板受け金具Ｂを足場板受け金具Ａの上部側でこの受け金具Ａに対し直交させた状態で、受け金具本体１８のコ字枠部２２を単管足場支柱１に嵌合させながら、受け金具本体１８のコ字枠部２２から下向きに突出している位置決め用係合部片２６を、足場板受け金具Ａの箱枠４にある係合孔部２７に係合させて、足場板受け金具Ｂを足場板受け金具Ａに対し９０度回転した位置に位置決めし、その後にコ字型パイプクランプ１９で支柱１を掴持することによって、足場板受け金具Ｂを足場板受け金具Ａの上部側所定位置に簡単容易に固定することができる。
【００３５】
図８は、単管足場のコーナー部において支柱１に足場板受け金具Ａと足場板受け金具Ｂとを上下に隣接して取り付け、対向する単管足場支柱１，１の足場板受け金具Ｂ，Ｂによってフック５付き足場板１６の両端部を受け、各コーナー部で足場板受け金具Ａにより、上記足場板１６と直交する他のフック５付き足場板１６の端部を受けている状態を示したものである。
【符号の説明】
【００３６】
Ａ            楔緊結式足場板受け金具
Ｂ            クランプ式足場板受け金具
１            単管足場支柱
２            楔孔付き多角形状フランジ
２ａ          フランジの角部
３            フランジの楔孔
４            箱枠
５            足場板のフック
６            フック係止軸部
７            受け金具本体
８            箱枠の楔孔
９            楔
１６          足場板
１７          落下防止板
１８          受け金具本体
１９          パイプクランプ
【図１】
2010281075.tif 000003
【図２】
2010281075.tif 000004
【図３】
2010281075.tif 000005
【図４】
2010281075.tif 000006
【図５】
2010281075.tif 000007
【図６】
2010281075.tif 000008
【図７】
2010281075.tif 000009
【図８】
2010281075.tif 000010